(57)【要約】      （修正有）【課題】ダウンロードにより売買する電子データと当該電子データを含む他の媒体商品の売買とを促進することを可能としたダウンロードデータ関連の製品割引サービスシステムを提供する。【解決手段】電子データダウンロードサーバ４０に接続し、データベース４０ａの電子データを指定し、ダウンロード手段４０ｂにより電子データダウンロード手段１０にダウンロードする。電子データダウンロードサーバ４０は、割引権利管理サーバ５０にアクセスし、割引権利テーブル５０ａに記録されている当該曲目と関連付けされたＣＤ等の割引率を取得し、当該電子データに関連する割引率等の割引権利情報をも送信し、割引権利取得手段２０に保存される。ユーザが当該電子データの記録が含まれるＣＤ等を購入する際は、ＣＤショップで割引権利情報を提示して当該ＣＤ等を購入する。ＣＤショップでは、商品販売端末６０ａを備え、当該ＣＤ等の割引販売を実施する。【選択図】図２
2007072697.tif 000002
【特許請求の範囲】
【請求項１】
ネットワークと、前記ネットワークに接続された、電子データを配信する電子データダウンロードサーバと、ユーザ端末と、を備えるダウンロードデータ関連の製品割引サービスシステムであって、
前記電子データダウンロードサーバは、電子データのダウンロード時に当該電子データの記録を含む記録媒体の商品購入に利用可能な割引権利情報をもユーザ端末に送信するダウンロード手段を備え、
前記ユーザ端末は、電子データダウンロードサーバからの前記ダウンロードを受信する電子データダウンロード手段と、前記電子データのダウンロード時に前記電子データの記録を含む記録媒体の商品購入に利用可能な割引権利情報を取得し保存する割引権利取得手段と、前記電子データの記録を含む記録媒体の商品購入時に前記割引権利情報を出力する割引権利提示手段と、を備える
ことを特徴とするダウンロードデータ関連の製品割引サービスシステム。
【請求項２】
前記ネットワークに接続された割引権利管理サーバを備え、前記割引権利管理サーバは、電子データと該電子データの記録を含む記録媒体の割引権利情報とを関連付けて管理する割引権利テーブルを備え、前記電子データダウンロードサーバは電子データのダウンロード時に前記割引権利管理サーバからダウンロードする電子データの記録を含む記録媒体の割引権利情報を取得することを特徴とする請求項１記載のダウンロードデータ関連の製品割引サービスシステム。
【請求項３】
商品販売ショップに設置され前記ネットワークに接続された商品販売端末を備え、前記商品販売端末は前記割引権利提示手段が提示する割引権利情報により、前記電子データの記録を含む記録媒体の商品販売時に前記割引権利管理サーバに当該記録媒体の割引権利の確認を行う確認手段を備えることを特徴とする請求項１又は２記載のダウンロードデータ関連の製品割引サービスシステム。
【請求項４】
ユーザ端末の前記割引権利提示手段は、前記割引権利取得手段に保存された割引権利情報を前記商品販売端末に出力可能な非接触ＩＣチップであることを特徴とする請求項３記載のダウンロードデータ関連の製品割引サービスシステム。
【請求項５】
ユーザ端末に対しネットワークを介して電子データを配信するダウンロードデータ関連の製品割引サービスシステムにおける電子データダウンロードサーバであって、
電子データのダウンロード時に当該電子データの記録を含む記録媒体の購入に利用可能な割引権利情報をもユーザ端末にダウンロードするダウンロード手段を備えることを特徴とする電子データダウンロードサーバ。
【請求項６】
電子データダウンロードサーバから電子データをダウンロードするダウンロードデータ関連の製品割引サービスシステムにおけるユーザ端末であって、
電子データダウンロードサーバからのダウンロードを受信する電子データダウンロード手段と、前記電子データのダウンロード時に前記電子データの記録を含む記録媒体の購入に利用可能な割引権利情報を取得し保存する割引権利取得手段と、前記電子データの記録を含む記録媒体の購入時に前記割引権利情報を出力する割引権利提示手段と、を備えることを特徴とするユーザ端末。
【請求項７】
前記割引権利提示手段は、前記割引権利取得手段に保存された情報を商品販売ショップに設置され前記ネットワークに接続された商品販売端末に出力可能な非接触ＩＣチップであることを特徴とする請求項６記載のユーザ端末。
【請求項８】
電子データダウンロードサーバがネットワークを介してユーザ端末に対し電子データを配信するダウンロードデータ関連の製品割引サービスシステムにおける割引権利管理サーバであって、
電子データと該電子データの記録を含む記録媒体の割引権利情報とを関連付けて管理する割引権利テーブルを備え、電子データのダウンロード時にダウンロードする電子データの記録を含む記録媒体の割引権利情報を前記電子データダウンロードサーバに提供することを特徴とする割引権利管理サーバ。
【発明の詳細な説明】
【技術分野】
【０００１】
本発明は、製品割引システムに関し、特に電子データのダウンロード商品に関するダウンロードデータ関連の製品割引サービスシステムに関する。
【背景技術】
【０００２】
音楽配信、チケット販売等、ネットワーク上の複数のショップと、レコメンデーションを行うセンタとから構成され、音楽配信を行うショップからの新曲等の音楽ソフト購入者の情報によりレコメンデーションを行うセンタから、当該購入者に対して当該音楽ソフトの歌手等のコンサートチケットの購入を勧める割引クーポンつきの電子メールを送信することにより、ある商品又はサービスを購入（又はアクセス）した顧客に対し、連鎖的に購入（又はアクセス）することが期待される商品又はサービスに割引クーポンを発行する販売促進システムが提案されている（特許文献１参照）。
【０００３】
【特許文献１】特開２００２−１１７２９２号公報
【発明の開示】
【発明が解決しようとする課題】
【０００４】
近年、ネットワーク上での音楽等の電子データをオンラインで売買するオンライン配信システムが発達してきているが、これにより電子データの配信によるオンライン売買と当該電子データが記録されたＣＤ等の媒体の商品販売とが競業状態となり、オンライン売買が他の媒体商品の売買を妨げるという問題が生じてきている。
【０００５】
このため、著作権を有するコンテンツが電子データで販売されると、ＣＤの製作者やＣＤショップ等では売り上げが落ちると予測され、例えば着うた等のコンテンツプロバイダとＣＤ販売業者の利害が対立し、ＣＤ製造、販売業者からオンライン配信業者への版権の提供が促進されないという問題もある。
【０００６】
前述の販売促進システムは、レコメンドルールに基づきダウンロード購入商品から連鎖的に購入が期待される別商品やサービスを対象とした販売促進を行うものであり、音楽配信を行うショップから収集した新曲購入者の電子メールアドレスを含む情報により、レコメンデーションを行うセンタから当該購入者に対し、当該新曲の歌手等のコンサートチケットの購入を勧める割引クーポンつきの電子メールを送信するものであるから、同じ電子データに関する異なる媒体の販売促進にはなり得ないシステムであるという点で問題がある。
【０００７】
本発明の目的は、電子データの配信と在来の媒体販売との競業状態を改善するダウンロードデータ関連の製品割引サービスシステムを提供することにある。  
本発明の他の目的は、ダウンロードにより売買する電子データと当該電子データを含む他の媒体の商品の売買とを促進することを可能としたダウンロードデータ関連の製品割引サービスシステムを提供することにある。  
本発明の他の目的は、電子データの売買に基づき当該電子データを含む他の媒体の商品の購入に導くことを可能としたダウンロードデータ関連の製品割引サービスシステムを提供することにある。
【課題を解決するための手段】
【０００８】
本発明のダウンロードデータ関連の製品割引サービスシステムは、ネットワークと、前記ネットワークに接続された、電子データを配信する電子データダウンロードサーバ（４０）と、ユーザ端末と、を備えるダウンロードデータ関連の製品割引サービスシステムであって、前記電子データダウンロードサーバ（４０）は、電子データのダウンロード時に当該電子データの記録を含む記録媒体の商品購入に利用可能な割引権利情報をもユーザ端末に送信するダウンロード手段（４０ｂ）を備え、前記ユーザ端末は、電子データダウンロードサーバからの前記ダウンロードを受信する電子データダウンロード手段（１０）と、前記電子データのダウンロード時に前記電子データの記録を含む記録媒体の商品購入に利用可能な割引権利情報を取得し保存する割引権利取得手段（２０）と、前記電子データの記録を含む記録媒体の商品購入時に前記割引権利情報を出力する割引権利提示手段（３０）と、を備える。
【０００９】
また、前記ネットワークに接続された割引権利管理サーバ（５０）を備え、前記割引権利管理サーバ（５０）は、電子データと該電子データの記録を含む記録媒体の割引権利情報とを関連付けて管理する割引権利テーブル（５０ａ）を備え、前記電子データダウンロードサーバ（４０）は電子データのダウンロード時に前記割引権利管理サーバ（５０）からダウンロードする電子データの記録を含む記録媒体の割引権利情報を取得することを特徴とし、商品販売ショップに設置され前記ネットワークに接続された商品販売端末（６０ａ）を備え、前記商品販売端末（６０ａ）は前記割引権利提示手段（３０）が提示する割引権利情報により、前記電子データの記録を含む記録媒体の商品販売時に前記割引権利管理サーバに当該記録媒体の割引権利の確認を行う確認手段を備えることを特徴とする。更に、ユーザ端末の前記割引権利提示手段（２０）は、前記割引権利取得手段に保存された割引権利情報を前記商品販売端末（６０ａ）に出力可能な非接触ＩＣチップであることを特徴とする。
【００１０】
本発明の電子データダウンロードサーバは、ユーザ端末に対しネットワークを介して電子データを配信するダウンロードデータ関連の製品割引サービスシステムにおける電子データダウンロードサーバ（１０）であって、電子データのダウンロード時に当該電子データの記録を含む記録媒体の購入に利用可能な割引権利情報をもユーザ端末にダウンロードするダウンロード手段（４０ｂ）を備えることを特徴とし、ユーザ端末は、電子データダウンロードサーバから電子データをダウンロードするダウンロードデータ関連の製品割引サービスシステムにおけるユーザ端末であって、電子データダウンロードサーバ（４０）からのダウンロードを受信する電子データダウンロード手段（１０）と、前記電子データのダウンロード時に前記電子データの記録を含む記録媒体の購入に利用可能な割引権利情報を取得し保存する割引権利取得手段（２０）と、前記電子データの記録を含む記録媒体の購入時に前記割引権利情報を出力する割引権利提示手段（３０）と、を備えることを特徴とし、前記割引権利提示手段（３０）は、前記割引権利取得手段に保存された情報を商品販売ショップに設置され前記ネットワークに接続された商品販売端末（６０ａ）に出力可能な非接触ＩＣチップであることを特徴とする。
【００１１】
本発明の割引権利管理サーバは、電子データダウンロードサーバ（４０）がネットワークを介してユーザ端末に対し電子データを配信するダウンロードデータ関連の製品割引サービスシステムにおける割引権利管理サーバ（５０）であって、電子データと該電子データの記録を含む記録媒体の割引権利情報とを関連付けて管理する割引権利テーブル（５０ａ）を備え、電子データのダウンロード時にダウンロードする電子データの記録を含む記録媒体の割引権利情報を前記電子データダウンロードサーバ（４０）に提供することを特徴とする。（図２）
【発明の効果】
【００１２】
本発明によれば、電子データをダウンロードする時に、当該電子データの収録を含む媒体商品に対する割引権利が添付されることから、当該媒体商品の購入へ導くことが可能であり、電子データの配信と在来の媒体商品の販売との競業関係を改善することが可能である。
【００１３】
また、ＣＤ等の媒体商品の売り上げが伸びることにより、ＣＤ等のコンテンツの著作権を持つ組織等が該コンテンツを電子データとしてコンテンツプロバイダ等の配信業へ提供するハードルが低くなり、電子データの流通量を増加させることができる。
【００１４】
音楽等の電子データの配信とＣＤ販売とは二律背反のように捉えられることが多いが、本ビジネスモデルによりシナジー効果が期待できる。例えば、着うた電子データとＣＤ等の媒体商品のどちらを買うかに迷った場合に、重複データの購入に割引権利の利用による金銭的な相殺が可能で買い増しの抵抗感が少なくなり、電子データの購入も促進される。また、媒体商品の持つ喜びを充足させるために電子データの購入に加えてＣＤ等の媒体商品をも購入することを促進させる効果が期待できる。
【００１５】
本発明によれば、電子データをダウンロードする際に、その電子データに関連する商品に対する割引権利を添付することで、当該媒体商品の売り上げ向上を図れるビジネスモデルが実現される。
【発明を実施するための最良の形態】
【００１６】
（構成の説明）
図１は本発明の実施の形態のサービスフローを示す図である。本実施の形態は、電子データダウンロード手段１０、割引権利取得手段２０及び割引権利提示手段３０を独立にあるいは並存して備えるユーザ端末側システムと、音楽配信等のコンテンツプロバイダ等に設置された電子データダウンロードサーバ４０、割引権利管理サーバ５０、ＣＤショップ等に設置された商品販売システム６０とから構成され、これらが連携してダウンロードデータ関連の製品割引サービスシステムが実現される。
【００１７】
図２は本実施の形態のシステム構成を示す図である。電子データダウンロード手段１０、割引権利取得手段２０及び割引権利提示手段３０はユーザ端末、具体的には携帯電話機等の携帯通信端末に構成されており、電子データダウンロード手段１０はダウンロードサービスで対象となる電子データを指定して電子データダウンロードサーバ４０から電子データを受信するダウンロード機能を有し、割引権利取得手段２０は電子データダウンロードサーバ４０が送信するデータのうち割引商品、割引率等の割引権利の情報（割引権利情報）を取得して保存する機能を有する。更に、割引権利提示手段３０はユーザ端末に内蔵され、割引権利取得手段２０に保存された割引権利情報を送信できる非接触型ＩＣチップ等の提示手段、同割引権利情報を表示する表示画面等の提示手段、又は文字列／数字列のようなＩＤを含む情報を紙等に出力するためのプリンタ等の提示手段である。
【００１８】
コンテンツプロバイダ等の電子データダウンロードサーバ４０は、ユーザ端末からの購入要求に対しダウンロードする電子データを保存するデータベース４０ａと、当該データベース４０ａからダウンロード対象の電子データを読み出し、該電子データと後述の割引権利情報とをユーザ端末に送信するダウンロード手段４０ｂとを備える。割引権利管理サーバ５０は、電子データダウンロードサーバ４０のデータベース４０ａの電子データと、ＣＤショップで販売される前記電子データの記録を含むＣＤ等の記録媒体とが関連付けて記録された割引権利テーブル５０ａを備える。
【００１９】
ＣＤショップはＣＤ等の記録媒体の商品（媒体商品）を販売し、商品販売システム６０としてユーザ端末が出力する割引権利情報による媒体商品の購入要求に対し、商品の売買処理等を可能とする商品販売端末６０ａを備え、該商品販売端末６０ａにはユーザ端末の割引権利提示手段３０による割引権利情報の提示により割引権利管理サーバ５０への割引権利情報等を確認する確認手段６０ｂを備える。
【００２０】
図３は本実施の形態の割引権利テーブルのデータを示す図である。歌手やアーティスト別（Ａ、Ｂ、Ｃ…）、曲目別（曲目ａ、ｂ、ｃ、…）に、少なくともそれぞれの曲目を含む１ないし複数の電子データが記録されたＣＤ（ＣＤタイトル１、２、３、…）やＭＤ（ＭＤタイトル１、２、３、…）とそれぞれの割引率が関連付けされて記録されている。ここで割引率はそれぞれの人気度に応じてきめ細かく設定することが可能である。特に、ＣＤ等には通常複数の曲が記録されており、ユーザ端末でダウンロードした曲がそのうちの１曲とすると、このＣＤ等の購入はその電子データの重複購入となり当該ＣＤ等の購入意欲を阻害する要因となりうるが、少なくともこの電子データ分に相当する割引をも加味した割引率とすることにより当該ＣＤ等の購入意欲を起こさせ、本システムのパフォーマンスを充分高めることができる。
【００２１】
（動作の説明）
本実施の形態の一般的な動作フローの概要は以下のとおりである。ユーザは、例えば、あるアーティストの着うたの電子データを購入してダウンロードし、当該着うたの再生権利を取得する。当該着うたのコンテンツプロバイダはこの電子データのダウンロードの際に、このアーティストの着うたの記録が含まれるＣＤ等を購入する際の割引権利情報も送信する。着うたの電子データを購入したユーザは該着うたに気に入り、またＣＤ等のハード志向を有することにより、当該アーティストの他の曲の入手を希望した場合、ユーザがＣＤショップに行き添付されている割引権利情報を提示する。ＣＤショップでは当該割引権利が有効であるか否かをチェックし、有効である場合には割引販売を実施する。
【００２２】
次に、以上の動作を図２、３に示すシステム構成を参照して詳細に説明する。  
ユーザがユーザ端末を操作し、インターネットを介してユーザ端末をコンテンツプロバイダの電子データダウンロードサーバ４０に接続し、電子データダウンロードサーバ４０のデータベース４０ａに蓄積されている電子データのダウンロードサービスにより提供可能な曲目リストに基づき着うた等の曲目を指定し、ダウンロード手段４０ａによりインターネットを介して電子データを電子データダウンロード手段１０にダウンロードする。この際、電子データダウンロードサーバ４０は、割引権利管理サーバ５０にアクセスし、割引権利テーブル５０ａに記録されている当該曲目と関連付けされたＣＤ等の商品名、その割引率等を取得し、当該着うたに関連する商品の割引率等の割引権利情報をも送信する。この割引権利情報は割引権利取得手段２０で取得し保存する。
【００２３】
ユーザが前記着うたの電子データの記録が含まれるＣＤ等を購入する際は、ＣＤショップで割引権利情報を提示して当該ＣＤ等を購入する。ＣＤショップでは、商品販売端末６０ａを備えた商品販売システム６０が使用可能であり、ＣＤ等を購入する際に、割引権利提示手段３０によって提示される割引権利情報は商品販売端末６０ａが割引権利管理サーバ５０と連携して、有効であるか否かを判断し、有効である場合には当該ＣＤ等の割引販売を実施する。ここでユーザ端末がＰＣ等の場合にはプリンタ等の提示手段で文字列／数字列のようなＩＤと割引権利情報を紙出力し、ＣＤショップの店頭で提示することができる。ユーザ端末が携帯通信端末の場合、その表示画面に割引権利情報を表示して使用することができる。
【００２４】
また、ユーザ端末が携帯通信端末であり割引権利提示手段３０として非接触型ＩＣチップを搭載している場合は、非接触型ＩＣチップのリーダー／ライター一体型の商品販売端末６０ａに携帯通信端末自体をかざすか置くだけで割引権利情報の提示が可能である。  
何れの場合も商品販売端末６０ａは、割引権利情報の提示に対し、確認手段６０ｂによりインターネットを介して割引権利管理サーバ５０と接続し、提示された対象商品、割引率等の割引権利を確認する有効性チェック機能を備える。
【００２５】
文字列／数字列によるＩＤと割引権利情報の提示による商品購入後は、割引権利管理サーバ５０との間の前記有効性チェック後、使用された割引権利に関して使用済みとして扱い、割引目的での再利用ができなくなり、非接触型ＩＣチップの場合も商品購入の代金支払いが完了すると、商品販売端末６０ａによって当該割引権利情報は消去される。例えばユーザ端末が携帯電話機の場合、非接触型ＩＣチップとして例えば「フェリカ（ＦｅｌｉＣａ）」の搭載が好適であり、この場合にはＦｅｌｉＣａアプリにより商品販売端末６０ａのリーダー／ライターにより当該ＣＤの割引権利（割引券）は使用済み状態となり二度と提示できなくなる。
【００２６】
（他の実施の形態）
以上の実施の形態においては、オンライン電子データの購入を音楽の例で説明したが、オンライン電子データのショップと当該電子データのコンテンツが記載された紙媒体の出版社との関係においても同様の競業関係が生じることから、オンラインマガジンの記事購入者に対して、ダウンロード時に当該マガジンの内容を含む関連書籍の割引券が発行されるように構成することが可能である。また、映画データやチケットをインターネット経由で購入した場合に、同時に当該映画のＤＶＤが発売される時に使用できる割引権利を取得できるように構成することが可能である。更に、ＶＯＤで映画の視聴権利を購入した人が、当該映画のＤＶＤ及び当該映画に対する続編のＤＶＤの割引権利を得えられるように構成することも可能である。
【００２７】
また、前記実施の形態では、割引権利管理サーバ５０の割引権利テーブル５０ａにダウンロード対象の電子データと、ＣＤショップで販売される前記電子データの記録を含むＣＤ等の記録媒体と、その割引率とが関連付けて記録した例を示したが、各ＣＤ、ＭＤ毎に収録されている曲リストをも登録し、電子データダウンロードサーバ４０がダウンロード時に割引権利情報に当該曲リストをも含めて送信してユーザ端末で表示可能に構成すると、ＣＤ等の購入意欲を増進させる意味でより有効である。
【発明の利用が考えられる分野】
【００２８】
本発明は、「ＶＯＤ（Ｖｉｄｅｏ  Ｏｎ  Ｄｅｍａｎｄ）」、「ｉＴｕｎｅ  Ｍｕｓｉｃ  Ｓｔｏｒｅ」等における電子データのダウンロードシステムと、その電子データの記録を含む媒体商品の販売店舗等に適用可能である。
【図面の簡単な説明】
【００２９】
【図１】本発明の実施の形態の処理フローを示す図である。
【図２】本実施の形態のシステム構成を示す図である。
【図３】割引権利テーブルの内容を示す図である。
【符号の説明】
【００３０】
１０  電子データダウンロード手段
２０  割引権利取得手段
３０  割引権利表示手段
４０  電子データダウンロードサーバ
４０ａ  データベース
４０ｂ  ダウンロード手段
５０  割引権利管理サーバ
５０ａ  割引権利テーブル
６０  商品販売システム
６０ａ  確認手段
【図１】
2007072697.tif 000003
【図２】
2007072697.tif 000004
【図３】
2007072697.tif 000005